(57)【要約】【課題】操作の安全確実なジューサーの構造を提供する。【解決手段】  機体２０、粉砕槽台２３、上蓋３０、押圧部品３７から構成し、上蓋上には通孔３３０を備えたスイッチ制御部品３３を配置して、カッター２９及びフィルター２８を備えた粉砕槽台２３に対して内容物を押し込む該押圧部品が挿入可能とし、該スイッチ制御部品両側には延伸片３４を形成してその下端には係合溝３５、斜面３６を設け、該延伸片を該上蓋の両側に形成した穿孔３２、及びこれに対応して形成した該粉砕槽台のスライド開口２４を貫通して延伸し、該粉砕槽台に設けたバネ、スイッチ連動バーを介して、該機体両側のタッチスイッチを押すことができるようにし、該スイッチ制御部品を操作することにより、該スイッチ連動バーを回転、押圧してジューサーの電源を操作可能とする。【選択図】  図  ３【実用新案登録請求の範囲】
【請求項１】
機体、粉砕槽台、上蓋、押圧部品から構成し、
該機体は、２個のタッチスイッチを具え、
該粉砕槽台上端両側にはスライド開口を設けて、該機体のタッチスイッチを押圧するスイッチ連動バーをスライド開口を臨む位置に配置し
該上蓋の両側には該粉砕槽台のスライド開口に対応する穿孔を設け、
該上蓋上方には該押圧部品を挿入する通孔を備えたスイッチ制御部品を設置し、
該スイッチ制御部品両側には延伸片を形成してその下端には係合溝、斜面を形成し、
これらを組み立てた状態において、該延伸片は該上蓋の穿孔及び該粉砕槽台のスライド開口を貫通して、上記スイッチ連動バーに設けた定位片に係合して回転、押圧可能とし、該スイッチ制御部品の回転操作によって、該タッチスイッチの導通、及び遮断を行うようにしてなることを特徴とするジューサーの構造。
【請求項２】
前記粉砕槽台中には振動防止バネを備えた振動防止バーを設けて前記機体、前記粉砕槽台、前記上蓋を嵌合して一体とした時、該振動防止バーは前記機体を該振動防止バネの弾力により押圧して前記上蓋、前記粉砕槽台は緩まず、前記機体においてより一層緊密に結合することを特徴とする請求項１記載のジューサーの構造。
【考案の詳細な説明】
【技術分野】
【０００１】
本考案は一種のジューサーの構造に関する。特に通電、電源遮断を制御可能な構造で、スイッチ制御部品により制御を操作し、該スイッチ制御部品は２個の延伸片、係合溝、斜面を具え、２個タッチスイッチを回し、押し、固定し、タッチスイッチは上蓋を緊密に蓋合する時に初めて通電するため安全性が高く、さらに、粉砕槽台は振動防止バネ、振動防止バーを具えるため、粉砕槽台と機体間は振動防止効果を達成し、粉砕槽台の緩みを防止し、安定性を高める効果を実現するジューサーの構造に係る。
【背景技術】
【０００２】
公知のジューサーはおよそ図１、２に示すように、機体10、容器101、粉砕槽台14、カッター16を具えたフィルター15、通孔170を具えた上蓋17、押圧部品19により構成する。
該機体10は、モーターを具え、モーター回転軸11は連動ジョイント110を具えフィルター15を接続可能で、カッター16を高速回転させ、野菜や果物などの材料を粉砕する。該機体10は、２枚の嵌設片12を具え、該上蓋17の嵌合槽18と係合する。該機体10はスイッチ連動バー13、バネ130、タッチスイッチ131を具え、ジューサー使用時、該上蓋17の押圧を受けることにより通電する。使用しない時には、該上蓋17を離脱させれば電源は遮断される。
【特許文献１】特開昭６３−１６４９０９号公報
【特許文献２】特開２００１−７０１８１号公報
【考案の開示】
【考案が解決しようとする課題】
【０００３】
公知構造には以下の欠点があった。
１．上蓋の蓋合により即、タッチスイッチは通電するため、上蓋蓋合状態で材料を入    れる必要から電源を遮断したい時には、わざわざ機体のスイッチを操作し電源を遮断し、材料を入れた後に再び通電操作を行わなければならない。そのため、使用に当たり不便で、しかもスイッチの反復操作が多数回(材料を入れる回数が多数回)に及べば故障が発生し易い。
２．上蓋の蓋合により即、通電するため、使用者はそれに頼り、スイッチを操作することによる電源遮断を忘れがちで、カッターの誤作動の危険が発生しうる。すなわち、安全性が低い。
３．タッチスイッチが故障し電源遮断が不能となった時(使用寿命に達すれば故障する)、タッチスイッチ以外に制御方法がなければ、その安全性は極めて低くなる    。
４．機体、粉砕槽台、上蓋間は嵌設片によってのみ係合するため、係合片と上蓋の嵌合槽間は間隙が生じ密着しないという現像が発生する。また機体はモーターが高速回転し、カッターが材料を粉砕している時必然的に起きる「振動現像」により大きな騒音を引起し、また粉砕効果にも悪影響を及ぼす。
本考案は上記構造の問題点を解決したジューサーの構造を提供するものである。
【課題を解決するための手段】
【０００４】
上記課題を解決するため、本考案は下記のジューサーの構造を提供する。
それは主に機体、容器、粉砕槽台、カッターを具えたフィルター、通孔及び嵌合槽を具えた上蓋、押圧部品を含み、
該機体は２枚の嵌設片、モーター回転軸、連動ジョイント、スイッチ、タッチスイッチを具え、該粉砕槽台はバネを具え、スイッチ連動バーは機体のタッチスイッチを押圧することができ、
該機体のタッチスイッチは２個とし、
該粉砕槽台上端両側にはスライド開口を設置し、該スイッチ連動バーはスライド開口中に穿出し、スイッチ連動バー上方に対応し定位片を設置し、
該上蓋の両側には粉砕槽台のスライド開口に対応する穿孔を設置し、
該上蓋上方にはスイッチ制御部品を設置し、通孔は押圧部品を挿入させ、その両側には延伸片を設置し、該延伸片の下端には係合溝、斜面36を設置し、
これにより該延伸片は該上蓋の穿孔及びスライド開口を貫通し、回転可能となり、
該スイッチ連動バーを押し、該タッチスイッチを導通させ、及び該係合溝は該粉砕槽台の定位片において係合し、タッチスイッチの導通状態を保持し、
一方、反対方向にスイッチ制御部品延伸片を回転させれば、係合状態は解かれ、タッチスイッチは元の位置を回復し電源遮断状態を呈し、
該粉砕槽台中には振動防止バネ、振動防止バーを設置し、該機体、粉砕槽台、上蓋が嵌合し一体となる時、該振動防止バーは該機体20を押し、該振動防止バネ2の弾力により該上蓋、該粉砕槽台は緩まず、該機体においてより一層緊密に結合されることを特徴とするジューサーの構造である。
【考案の効果】
【０００５】
上記のように、本考案はスイッチ制御部品を操作すれば、即通電、電源遮断を制御可能で、上蓋、粉砕槽台を組合状態としても電源遮断制御の目的を達成可能である。そのため、材料を入れた時、スイッチの電源遮断、通電を反復操作する必要がなく、使用の利便性と高い安全性を達成可能で、スイッチは反復動作不要により使用寿命を延ばすことができる。さらに、本考案のスイッチ制御部品の延伸片は係合溝を具え、定位片において嵌合し通電状態を確保可能であるため、機体がモーターが作動し材料を粉砕する時の振動により電源誤遮断の問題を解決することができる。また、粉砕槽台と機体間には振動防止バネ、振動防止バーを設置するため、これらの弾力により振動防止を達成し、機体の作動が原因の粉砕槽台の緩みを防止することができる。さらに、本考案はタッチスイッチを２個設置し、スイッチ制御部品の２個の延伸片により通電、電源遮断を制御し、さらには２個のタッチスイッチは直列状であるため、どちらか一方のタッチスイッチが故障しても残った一方のタッチスイッチにより電源を遮断することができ、安全性が非常に高まる。また、スイッチ制御部品の延伸片は上蓋を貫通し、粉砕槽台の定位片に係合するため、上蓋と粉砕槽台の結合をいっそう堅固とすることができる。
【考案を実施するための最良の形態】
【０００６】
本考案は主に図３、４、５に示すように、機体20、容器201、粉砕槽台23、カッター29を具えたフィルター28、通孔301及び嵌合槽31を具えた上蓋30、押圧部品37を含む。
該機体20は２枚の嵌設片22、モーター回転軸21、連動ジョイント210、スイッチ200、タッチスイッチ251を具える。
該粉砕槽台23は、バネ250、スイッチ連動バー25を具え、機体20のタッチスイッチ251を押圧することができる。
該機体20のタッチスイッチ251は２個とし、該粉砕槽台23上端両側にはスライド開口24を設置し、該スイッチ連動バー25はスライド開口24中に穿出し、スイッチ連動バー25上方に対応して定位片240を設置する。
該上蓋30の両側には粉砕槽台23のスライド開口24に対応する穿孔32を設置し、該上蓋30上方にはスイッチ制御部品33を設置する。通孔330には押圧部品37が挿入され、その両側には延伸片34を設置し、該延伸片の下端には係合溝35、斜面36を設ける。これにより該延伸片34は該上蓋30の穿孔32及びスライド開口24を貫通し、該スイッチ連動バー25を回転、押圧可能となり、該タッチスイッチ251を操作する。さらに、該係合溝35は該粉砕槽台23の定位片240に係合し、該タッチスイッチ251の導通状態を保持する。
一方、反対方向にスイッチ制御部品33、延伸片34を回転させれば、係合状態を解き、該タッチスイッチ251は電源遮断状態となる。
該粉砕槽台23中には振動防止バネ27、振動防止バー26を設置し、該機体20、粉砕槽台23、上蓋30おいて嵌合し一体となる時、該振動防止バー26は該機体20を押上げ、該振動防止バネ27の弾力により該上蓋30、該粉砕槽台23は該機体20において緩みなくより緊密に結合する。
さらに本考案は該機体20、該粉砕槽台23、該フィルター28、該上蓋30、該スイッチ制御部品33、該押圧部品37を分離可能で、洗浄の便が良い。
【０００７】
組合せて使用時には、該粉砕槽台23を該機体20上に嵌合し、該フィルター28を該粉砕槽台23中にセットし、該モーター回転軸21と連動ジョイント210を嵌合連結させる。該上蓋30を該粉砕槽台23上に蓋合し、該機体20の嵌設片22と該上蓋30の嵌合槽31を係合、固定する。これにより、該スイッチ制御部品33の延伸片34は上蓋30の穿孔32を貫通し、該粉砕槽台23のスライド開口24中に挿入される。この時タッチスイッチ251は「電源遮断」状態にある。
材料をフィルター28中、カッター29上に入れると即、スイッチ制御部品33を回し、該延伸片34を斜面36に対応させ、該延伸片34底端は該スイッチ連動バー25を押し、該タッチスイッチ251は通電する。かつ該係合溝35はちょうど該粉砕槽台23の定位片240に係合し、通電状態を保持する。
一方、反対方向に該スイッチ制御部品33延伸片34を回すと、係合状態を解き、該スイッチ連動バー25を押すことはなくなり、該タッチスイッチ251は電源遮断状態となる。
【図面の簡単な説明】
【０００８】
【図１】公知構造の立体分解図である。
【図２】公知構造の組合断面図である。
【図３】本考案の立体分解図である。
【図４】本考案の組合断面側面図である。
【図５】本考案制御スイッチ位置の断面及び動作指示図である。
【符号の説明】
【０００９】
10  機体
100  スイッチ
101  容器
11  モーター回転軸
110  連動ジョイント
12  嵌設片
13  スイッチ連動バー
130  バネ
131  タッチスイッチ
14  粉砕槽台
15フィルター
16  カッター
17  上蓋
170  通孔
18  嵌合槽
19  押圧部品
20  機体
200スイッチ
201容器
21モーター回転軸
210連動ジョイント
22嵌設片
23粉砕槽台
24  スライド開口
240 定位片
25スイッチ連動バー
250バネ
251タッチスイッチ
26  振動防止バー
27  振動防止バネ
28フィルター
29カッター
30上蓋
31嵌合槽
301  通孔
32  穿孔
33  スイッチ制御部品
330通孔
34  延伸片
35  係合溝
36  斜面
37押圧部品
【図１】
0003106881.tif 000002
【図２】
0003106881.tif 000003
【図３】
0003106881.tif 000004
【図４】
0003106881.tif 000005
【図５】
0003106881.tif 000006